(57)【特許請求の範囲】
【請求項１】
側面視略コ字状を有するコ字状本体部と前記コ字状本体部とは別体として形成され前記コ字状本体部の上片に取り付けられた雌ネジ部とを備えるクランプ本体と、
上部に回動操作部を有し下部に前記雌ネジ部に螺挿されるネジ軸部を有する締め込み部材と、
この締め込み部材のネック部に上面の貫孔が挿通支持され前記クランプ本体の上方部分を包含して外嵌し得る外筒と、
前記締め込み部材のネジ軸部の下端に係着されデスク天板の上面に圧接する押圧片とを備え、
前記締め込み部材のネジ軸部の下端部に前記雌ネジ部のネジ山に螺合しない無ネジ部を形成してなり、締め込み部材を最大限に緩めて上昇させたとき該締め込み部材が空転するようにした
ことを特徴とするクランプ装置。
【請求項２】
前記クランプ本体を金属製であり、前記雌ネジ部と前記締め込み部材とは樹脂製である請求項１記載のクランプ装置。
【請求項３】
前記クランプ本体の雌ネジ部は、クランプ本体の上片に形成された貫孔に不回転に嵌合される２つ割り状の半円形状部片の内周面に形成された雌ネジにより構成されている請求項１又は請求項２記載のクランプ装置。
【発明の詳細な説明】
【０００１】
【発明の属する技術分野】
本発明は、デスクの天板、棚板、その他の部材に電気スタンド、電話台、その他のオプション品を取り付けためのクランプ装置に関する。
【０００２】
【従来の技術】
例えばデスク天板の端縁に電気スタンドや電話台、その他のオプション品を取り付ける手段として、従来からデスク天板の端縁に挟着するクランプ装置を用い、このクランプ装置の支持孔にオプション品の支柱を挿着して支持するようになされている。
【０００３】
かつてのクランプ装置は、側面視コ字状をなしその上片に支持孔を有するクランプ部材をデスク天板の端縁に嵌合させ、下片に押杆を螺挿してその下端のつまみを回動させることにより押杆の上端と前記上片とでデスク天板の端縁に挟着させるようになされていた。
【０００４】
しかしこの構造では、クランプ部材をデスク天板に挟着させる際にデスク天板の下面側で押杆のつまみを回動させなければならないため操作がしにくく、特に複数のデスクが配列されている場合にはデスク天板の下面側に手を挿入することが難しく、仮に手が入ったとしてもつまみを回しかつ強く締め込むことは極めて困難であった。
【０００５】
そこでこれらの問題点を解消するため、デスク天板の上面側で締め込み操作ができるようにしたものとして、従来実用新案登録第２５１７６２５号公報（公知例１）、特開平１０−２１３２８８号公報（公知例２）、特開平２０００−１０４７１２号公報（公知例３）などが提案されている。
【０００６】
【発明が解決しようとする課題】
しかるに上記公知例１に記載のものでは、デスク天板の厚みが薄いものになるにしたがって軸筒の雄ネジ部分が外部に露呈し、デスクの上面から見える状態となって外観上好ましくないとともにオプション品の支持高さが変化してしまうという問題点がある。
【０００７】
公知例２に記載のものは、側面視コ字形をなす取付具の上片にネジ孔が一体に形成され、このネジ孔に上部から螺挿する固定具の下端の圧接具がデスク天板の上面を押圧することにより取付具の下片と押圧具とでデスク天板の端縁に挟着させるものであるから、やはりデスク天板の厚みによっては雄ネジ部が露出するという問題点に加え、取付具を合成樹脂製とする場合、所定の強度を持たせるためにはその厚みが大きくなって外観上好ましくないものとなる。
【０００８】
さりとて取付具を金属製にすると雌ネジ筒も金属製となり、その一体化のために溶接等の工程が必要となってコスト高になることが避けられない。さらにダイキャスト等で一体成形するには一層コスト高となるうえ、雌ネジ加工が必要となって工数の増大を招く。
【０００９】
特に雄ネジ部と圧接部とは樹脂成形品の圧入により保持され、かつ雄ネジと雌ネジとは常に接しているため、取り付け時にデスク天板の挟持部分の幅を最大限に広げようとして雄ネジ筒を回し続けると、圧接部が雄ネジ筒から外れるかネジ部に変形をきたすおそれがある。
【００１０】
公知例３に記載のものは、板金製のフレームに雌ネジ加工をしており、そのため雄ネジ部との接合面が大きくとれないため雌ネジ部の変形が生じやすく、しかもフレームに直接ネジ加工するため、これが変形した際にはフレーム全体を交換しなければならないことになる。
【００１１】
またネジ部の頭部とクランプ本体がＥリングにより結合され、しかも上記ネジ部とクランプ本体のネジ部とが常に接しており、そのためデスク天板の挟持部を最大限に広げようとして頭部を回し続けるとフレームとクランプ本体とが接触し、頭部、クランプ本体、フレームのいずれかに変形をきたすおそれがある。
【００１２】
本発明は、デスク天板の上面側からの操作を可能としながらデスク天板の厚みに左右されることなくネジ部の露出やオプション品の支持高さに変動を生じず、しかもネジ部材を回しすぎても一定開度以上は空転して構成部品に損傷を与えることがないクランプ装置を提供することを課題としてなされたものである。
【００１３】
【課題を解決するための手段】
上記課題を解決する手段として本発明は、側面視略コ字状を有するコ字状本体部と前記コ字状本体部とは別体として形成され前記コ字状本体部の上片に取り付けられた雌ネジ部とを備えるクランプ本体と、  上部に回動操作部を有し下部に前記雌ネジ部に螺挿されるネジ軸部を有する締め込み部材と、この締め込み部材のネック部に上面の貫孔が挿通支持され前記クランプ本体の上方部分を包含して外嵌し得る外筒と、前記締め込み部材のネジ軸部の下端に係着されデスク天板の上面に圧接する押圧片とを備え、前記締め込み部材のネジ軸部の下端部に前記雌ネジ部のネジ山に螺合しない無ネジ部を形成してなり、締め込み部材を最大限に緩めて上昇させたとき該締め込み部材が空転するようにしたことを特徴とする。  また、前記クランプ本体を金属製であり、前記雌ネジ部と前記締め込み部材とは樹脂製であることを特徴とする。
【００１４】
こうしたことにより、クランプ本体の下片と押圧片との間の間隔を最大限に広げようとして締め込み部材を緩めるべく過剰に回動させることがあっても、緩め方向への回動終端に至ったとき締め込み部材のネジ軸部の無ネジ部がクランプ本体の雌ネジ部に位置することになって締め込み部材が空転することになり、緩めすぎによりクランプ本体や押圧板の変形等の損傷を与えることがない。
【００１５】
前記クランプ本体の雌ネジ部を、クランプ本体の上片に形成された貫孔に不回転に嵌合される２つ割り状の半円形状部片の内周面に形成された雌ネジにより構成することがクランプ本体の製造を容易とすることともに締め込み部材と雌ネジ部との双方を樹脂による成形品で得ることができるのでクランプ本体を金属製としても雌ネジ部の軸長を大きくすることができるので好ましい。
【００１６】
【発明の実施の形態】
以下、本発明を図面に示す実施の形態を参照して説明する。
図１は本発明によるクランプ装置の一実施形態の分解斜視図を示し、図２は同組み立てたのちの使用状態の断面図を示しており、上記クランプ装置は、大別してクランプ本体１と、締め込み部材２と、外筒３と、押圧片４とで構成されている。
【００１７】
前記クランプ本体１は、側面視略コ字状に形成された剛性を有する金属製のもので、上片１ａ、縦片１ｂ、下片１ｃからなっており、その上片１ａには雌ネジ部５が設けられている。この雌ネジ部５は、図示の実施形態では図１（Ａ）および図５に示すように、前記クランプ本体１の上片１ａに貫孔６が形成され、この貫孔６に嵌着される対称的な２つ割り状の半円形状を有する樹脂製の部片７，７の内周に刻設された雌ネジ８，８で構成される。
【００１８】
前記貫孔６にはその直径線上対称位置に凹部９，９が形成されているとともに前記部片７，７の外周面中央位置には前記凹部９，９に係合する凸部１０，１０が形成されており、この凸部１０，１０を前記凹部９，９に嵌め込むようにして部片７，７の外面周方向に形成された溝７ａ，７ａを貫孔６の内周に嵌合させることにより各部片７，７は不回転状態となって取り付けられ、両部片７，７の雌ネジ８，８により雌ネジ部５が構成されている。
【００１９】
前記締め込み部材２は、図１〜図４に示すように、手で回動するに適する大きさのノブ状の回動操作部１１と、この回動操作部１１の下部に連設されたネジ軸部１２とで構成される樹脂製のもので、このネジ軸部１２の前記回動操作部１１の下面から突出した位置から下端にかけて前記雌ネジ部５の雌ネジ８，８に螺合する雄ネジ１３が形成されており、このネジ軸部１２の下端部の外周で締め込み部材２を最も緩めたとき（図３示）、雌ネジ８，８に対応する軸方向の長さ範囲は雄ネジを有しないで雌ネジ８，８とは無関係に空転し得る無ネジ部１４とされている。なお締め込み部材２を締め込み方向に回転したときは雄ネジ１３の下端が雌ネジ８，８の上端のネジ端に係合してネジ込みが可能とされている。
【００２０】
前記締め込み部材２の軸方向中心には、その上端からオプション品の脚部を挿着するための支持孔２ａが形成されている。
【００２１】
前記外筒３は、前記クランプ本体１の上方部を内包し得るよう断面下向きコ字状に形成され、その外周の一部は外方へ膨出するよう突出されていてその内部が前記クランプ本体１の縦片１ｂが嵌合する凹所１５とされ、この嵌合により外筒３は不回転とされる。
【００２２】
上記外筒３の上面には前記締め込み部材２のネジ軸部１２が挿通し得る貫孔１６を有し、この貫孔１６には前記ネジ軸部１２の上方部の大径部１２ａ（ネック部）がリング部材１７をストッパとして締め込み部材２と一体に上下移動可能に支持されている。
【００２３】
前記押圧片４は前記外筒３内に納まり得る大きさの板状のもので、その外周の一部には角形状に突出する突片１８を有し、その突片１８の端縁１８ａがクランプ本体１の縦片１ｂに対向しておかれることにより不回転となるもので、その上面中央にはすり割りにより複数の係止片１９が上向きに突設され、これら係止片１９の上部外面に形成された係止爪２０が前記締め込み部材２のネジ軸部１２の下端面に形成された係止孔２１に挿入係止されて該ネジ軸部１２の下端に取り付けられるようになっている。また外筒３の下端の一部は前記押圧片４の周縁の一部に当接しておかれ、この押圧片４が外部からは見えないように隠蔽されている。
【００２４】
図２において符号２２はデスク天板を示す。
【００２５】
次に上記実施形態の作用を説明する。
本発明によるクランプ装置をデスク天板２２の端縁に取り付けるには、締め込み部材２を緩み方向に回動させると、そのネジ軸部１２の雄ネジ１３と雌ネジ部５の雌ネジ８，８との螺合によって締め込み部材２がクランプ本体１に対し上昇し、それに伴い押圧片４も上昇してその押圧片４とクランプ本体１の下片１ｃとの間の間隔（クランプ間隔）が拡大するとともに外筒３も同量上昇する。
【００２６】
上記間隔がデスク天板２２の厚みを超えたときクランプ本体１の下片１ｃをデスク天板２２の端縁下面に係合させ、押圧片４をデスク天板２２の上面に位置させて締め込み部材２を前記とは逆方向の締め込み方向に回動させれば、そのネジ軸部１２と雌ネジ部５との螺合により締め込み部材２が相対的に下降し、これに伴い押圧片４が下降してデスク天板２２の上面に当接し、さらに締め込むことにより押圧片４がデスク天板２２に圧接してその押圧片４とクランプ本体１の下片１ｃとでデスク天板２２の端縁を強固に挟持し、クランプ装置がデスク天板２２に固定される。
【００２７】
このとき外筒３も共に移動するので、締め込み部材２のネジ軸部１２およびクランプ本体１の上部の雌ネジ部５が外筒３により完全に隠蔽され、外部からネジ類が見えることがなく、外観が整えられる。図２（Ａ）にデスク天板２２の厚みＴ１が薄い場合、図２（Ｂ）にデスク天板２２の厚みＴ２が厚い場合の取り付け状態の断面図を示している。
【００２８】
こうして取り付けたのち、締め込み部材２の支持孔２ａにオプション品を取り付けることができる。その一例として図８（Ａ）にオプション品としての電気スタンド２３の脚を前記支持孔２ａに挿着した状態を示しており、図８（Ｂ）にはクランプ装置をデスク天板２２の後部端縁の両側にそれぞれ取り付け、これに目隠し用のパネル２４の左右端の脚を挿着して衝立とした状態を示している。
【００２９】
クランプ装置を取り外すときは、締め込み部材２を前記取り付け時とは反対の緩み方向に回動させれば雌ネジ部５が相対的に下降し、クランプ本体１の下片１ｃが下降して押圧片４と下片１ｃとの間隔が拡大し、これによりデスク天板２２の端縁から取り外すことができる。
【００３０】
クランプ装置の前述の取り付け時に締め込み部材２を緩み方向に回動させて押圧片４と下片１ｃとの間の間隔を広げようとするとき締め込み部材２を過剰に回動させたとすると、図３に示すようにそのネジ軸部１２の雄ネジ１３の下端が雌ネジ部５の雌ネジ８，８から外れ、これにより締め込み部材２は空転してそれ以上間隔が広がらないことが分かると同時に無用な力が加わることがなく、構成部材の変形やネジの破損等の発生を回避することができる。また締め込み部材２を過剰に緩めても押圧片４上の係止片１９により連結されているので締め込み部材２が抜けることはない。
【００３１】
再び取り付けのために締め込み部材２を締め込み方向に回動させれば、そのネジ軸部１２の雄ネジ１３の下端のネジ山の末端が雌ネジ部５の雌ネジ８，８の始端に引っ掛ってネジ込まれ、前述のように締め込みに移行することができる。
【００３２】
【発明の効果】
以上説明したように本発明によれば、デスク天板等の取り付け対象部材の厚みの大小に拘わらずその上面には締め込み部材が一定の高さをもっておかれるので、これに支持させるオプション品の高さがデスク天板等の厚みによって変わってしまうことがなく、オプション品を取り付けたのちの外観を統一することができる。
【００３３】
またデスク天板にクランプ装置を取り付けたとき、デスク天板等の厚みの如何によらずそのネジ部分が外筒により完全に隠蔽されるので景観を損なうことがない。
【００３４】
特にクランプ装置の取り付け時にクランプ間隔を広げる際に締め込み部材を緩め方向に過剰に回動させてしまうようなことがあっても、その回動終端で締め込み部材が空転するのでネジ部や構成部材に無理な力を及ぼすことがなく、したがってこれらの変形や破損を確実に防止することができる。
【００３５】
請求項２のように締め込み部材を螺挿するクランプ本体の雌ネジ部をクランプ本体とは別部品で構成するようにすれば、クランプ本体を強靱な金属製とし、雌ネジ部を樹脂製としてこの雌ネジ部に同じく樹脂製の締め込み部材を螺挿するようにすることができ、樹脂同士の螺合となって両者の変形や偏摩耗を生じることがなく、仮に雌ネジ部に摩耗や破損が生じても雌ネジ部を構成する部片を変換するだけで修復することができ、また廃棄時にも素材別に分別することが容易になるなどの効果を有する。
【図面の簡単な説明】
【図１】本発明によるクランプ装置を分解して示し、（Ａ）はその構成部品を、（Ｂ）は一部組み付けた状態を示す斜視図。
【図２】同、デスク天板へ取り付けた状態を示し、（Ａ）はデスク天板が薄い場合、（Ｂ）はデスク天板が厚い場合の断面図。
【図３】同、クランプ装置のクランプ間隔を最大限に拡大したときの状態を示す断面図。
【図４】締め込み部材を示し、（Ａ）は正面図、（Ｂ）は断面図、（Ｃ）は平面図。
【図５】雌ネジ部を構成する部片を示し、（Ａ）は平面図、（Ｂ）は（Ａ）のＡ−Ａ断面図。
【図６】クランプ本体を示し、（Ａ）は側面図、（Ｂ）は平面図。
【図７】クランプ本体に雌ネジ部の部片を組み付けた状態を示し、（Ａ）は断面図、（Ｂ）は平面図。
【図８】（Ａ），（Ｂ）は本発明によるクランプ装置を用いてオプション品を取り付け例を示す斜視図。
【符号の説明】
１  クランプ本体
２  締め込み部材
３  外筒
４  押圧片
５  雌ネジ部
７  雌ネジ部を構成する部片
１１  回転操作部
１２  ネジ軸部
１４  無ネジ部
２２  デスク天板
【図１】
0004536247.tif 000002
【図２】
0004536247.tif 000003
【図３】
0004536247.tif 000004
【図４】
0004536247.tif 000005
【図５】
0004536247.tif 000006
【図６】
0004536247.tif 000007
【図７】
0004536247.tif 000008
【図８】
0004536247.tif 000009